(57)【要約】【課題】  この発明は、格別の装置を用いることなく、通常の蓋と同様の手法によって容器口部に装着でき、かつ改竄防止目的の封緘機能を得ることのできる包装用容器の蓋を得ることを課題とするものである。【解決手段】  口縁部外側に下向き傾斜面を有するカーリング部２などの凸部を有する容器本体１に嵌装される合成樹脂製の蓋３であって、前記蓋は前記容器本体の凸部に沿い、その下部へ至るカーリング部４などの係止壁を有し、前記蓋の係止壁には縦方向の切り込み９を複数形成すると共に、蓋の係止壁の側部に環状の破断部８を形成する。【選択図】 図２
2006089126.tif 000002
【特許請求の範囲】
【請求項１】
口縁部外側に下向き傾斜面を有する凸部が形成された容器本体に嵌装される合成樹脂製の蓋であって、
前記蓋は前記容器本体の凸部に沿い、その下側へ至る係止壁を有し、前記蓋の係止壁には縦方向の切り込みが複数形成されると共に、係止壁の側部に環状の破断部が形成された、包装用容器の蓋
【請求項２】
口縁部外側に下向き傾斜面を有する凸部が形成された容器本体に嵌装される合成樹脂製の蓋であって、
前記蓋は前記容器本体の凸部に沿い、その下側へ至る係止壁を有し、前記係止壁の下縁には容器本体の周壁側が緩やかな凸を弧面部を有するスカート部が連設され、このスカート部には縦方向の切り込みが複数形成されると共に、蓋の係止壁の側部に環状の破断部が形成された、包装用容器の蓋
【請求項３】
容器本体の凸部及び蓋の係止壁は、共に断面略円形のカーリング部とした、請求項１又は２に記載の包装用容器の蓋
【請求項４】
破断部の位置は、容器本体の係止壁の最大突出位置より上方とした、請求項１ないし３の何れかに記載の包装用容器の蓋
【発明の詳細な説明】
【技術分野】
【０００１】
この発明は、封緘機能を持った包装用容器の蓋に関するものである。
【背景技術】
【０００２】
アイスクリーム、氷菓、総菜などを収納し店頭で販売される容器においては、一部の例外を除き、そのほとんどが容器本体にオーバーキャップが施されているのみで、改竄防止目的の封緘機能をもつインナーシールやキャップは使用されていない。
また、総菜容器などは、店頭において容器に内容食品を盛りつけた時点でキャップを行うケースも多く複雑な機構の封緘構造の容器を採用することはできない。
【特許文献１】特開２００３−２８５８５３号
【０００３】
上記特許文献に開示された発明は、容器開口部のフランジ下面に係合するように、蓋の内壁に上向き係止切り込み部を形成し、蓋が外れにくくしたものである。この発明においては蓋の離脱防止機能は得られても、改竄防止目的の封緘機能を得ることはできない。
【特許文献２】特開２００３−３３５３５２号
【０００４】
上記特許文献に開示された発明は、蓋体のスカート壁の下部に、後加工により係止壁を形成して封緘構造とするものであり、前記後加工のために加工装置が必要である。
【発明の開示】
【発明が解決しようとする課題】
【０００５】
この発明は、格別の装置を用いることなく、通常の蓋と同様の手法によって容器口部に装着でき、かつ改竄防止目的の封緘機能を得ることのできる包装用容器の蓋を得ることを課題とするものである。
【課題を解決するための手段】
【０００６】
請求項１の発明は、口縁部外側に下向きの傾斜面を有する凸部が形成された容器本体に嵌装される合成樹脂製の蓋であって、前記蓋は前記容器本体の凸部に沿い、その下側へ至る係止壁を形成し、前記蓋の係止壁には縦方向の切り込みを複数形成すると共に、蓋の係止壁の側部に環状の破断部を形成したものである。
請求項２の発明は、口縁部外側に下向きの傾斜面を有する凸部が形成された容器本体に嵌装される合成樹脂製の蓋であって、前記蓋は前記容器本体の凸部に沿い、その下側へ至る係止壁を形成し、前記蓋の係止壁の下縁には容器本体の周壁側が緩やかな凸を弧面部を有するスカート部を連設し、このスカート部には縦方向の切り込みを複数形成すると共に、蓋の係止壁の側部に環状の破断部を形成したものである。
【０００７】
この発明の蓋が嵌合する容器の下向き傾斜面を有する凸部は、カーリング加工により得られる断面略円形のもの、口縁部を肉厚としてカーリング部と同様に断面略円形としたもの、断面凸弧状としたもの、落とし込み加工により形成された断面直線的な下向き傾斜面であってもよい。
この発明における蓋体の係止壁は、蓋体を容器本体に嵌装するときに前記容器本体の凸部の下向き傾斜面に沿って広がり、嵌装時には凸部の下側に係止し得る形状とし、破断部を破断せずに蓋を取り外すことができない程度のものであればよい。カーリング部とすることが好ましいが、要は閉蓋時に蓋の係止壁を容器の凸部に押しつけることによって係止壁が凸部を通過し、係止壁の下部が容器の凸部に係止するものであればよい。
この発明における「破断部を破断せずに蓋を取り外せない程度」は、蓋体の材質や嵌合時の容器本体と蓋体との余裕により変動するものであり、撓みやすい又は余裕が大きい蓋体の場合は係止壁の下部が容器本体の凸部の下方内側へ回り込むことが必要であり、撓みにくい又は余裕が小さい蓋体の場合は容器本体の凸部下方に僅かに係止する程度で足りる場合もある。
【０００８】
この発明における破断部の位置は、容器本体の凸部の最大突出位置より上方とすることにより、抵抗なく蓋体を取り外すことができ好ましい（請求項４）が、容器本体の凸部の最大突出位置よりも下方であっても、蓋体の撓みを利用して取り外すことが可能であればよい。
なお、この発明における「破断部」は、ミシン目や薄肉部として形成する。
【０００９】
この発明における縦方向の切り込みは、閉蓋時に蓋体のカーリング部その他の凸部（請求項１）あるいはカーリング部その他の凸部及びスカート部（請求項２）が容器本体の凸部を通過するために拡開できるようにするためのものである。したがって、この目的を達するものであれば、切断線であっても、幅広の切断面であってもよい。またその数、大きさ、位置も上記目的に適するように定めるものである。
【発明の効果】
【００１０】
この発明の蓋体は、カーリング部その他の係止壁あるいはスカートを容器本体のカーリング部その他の凸部に押しつけると、切り込みの作用により係止壁あるいはスカートが拡開して容器本体の凸部を乗り越えるので、蓋体を容器本体に装着することができる。そして、一度装着された蓋体は、そのままで取り外そうとしてもカーリング部その他の係止壁が容器本体のカーリング部その他の凸部に係止しているので取り外すことができない。
他方、切断線に沿って切断して蓋体の下部を切除すると、容器本体の凸部と蓋体の係止壁との係止が解除されるので、無理なく蓋体を取り外すことができ開蓋される。
【００１１】
このように、この発明の蓋体は、格別の装置を用いることなく通常の蓋と同様の作業で閉蓋できるので、工場生産品に限らず店頭で包装される総菜類の容器の蓋体としても使用することができる。そして、食品などの消費者は切断線に沿って切断するのみで、特別の器具を用いることなく容易に開蓋することができる。
そして、切断しなければ開蓋できないので、不法な開蓋は切断の有無により容易にチェックすることができる。
【発明を実施するための最良の形態】
【００１２】
以下この発明の実施例を説明する。
【実施例１】
【００１３】
図１，図２は請求項１の発明の実施例である。
容器本体１の口部外側に凸部としてのカーリング部２が形成してある。
蓋体３は、周縁外側に係止壁としてのカーリング部４が形成してある。このカーリング部４は、前記容器本体のカーリング部２に沿う形状・大きさであって、その端縁５は前記容器本体のカーリング部２の下死点６を越えて内側（容器本体の周壁側）へ巻き込まれている。
前記蓋体３のカーリング部４の外側面の上部（容器本体のカーリング部２の最大突出点７よりも上方）にはミシン目８が環状に形成してある。またカーリング部４の下縁から前記ミシン目８に亘り、面状の切り込み部９が４箇所等間隔に形成してある。
【００１４】
この実施例の蓋体３の閉蓋作業は、通常の蓋体と同様に、容器本体の開口部に上から被せ、押し下げるのみである。
容器本体の開口部にあてがい蓋体を押し下げると、蓋体は合成樹脂製であるから弾性変形により、切り込み部９の作用によりカーリング部４が拡開する。合わせて、カーリング部４の下縁は容器本体の周壁側まで巻き込まれているので、上向き傾斜となっているカーリング部４の下面端部が下向き傾斜となっている容器本体のカーリング部２の上面外側に沿って無理なく滑り落ちる。
その結果、カーリング部４は容器本体のカーリング部２を通過し、カーリング部２の下面に係止する。
【００１５】
上記のようにカーリング部４が容器本体のカーリング部２を通過し、一旦閉蓋されると、カーリング部４は容器本体のカーリング部２の下死点より内側に至っているので、これを取り外すことはできない。
取り外し開蓋するときには、ミシン目８に沿ってカーリング部４を切断し、カーリング部４の下部を切除する。カーリング部４の下部を切除することにより、カーリング部４と容器本体のカーリング部２との係止が解除されるので、蓋体を取り外し、開蓋することができる。
【実施例２】
【００１６】
図３ないし図５は請求項２の発明の実施例であり、容器本体の構造は実施例１と同じである。
蓋体３は、周縁外側にカーリング部４が形成してある。このカーリング部４は、前記容器本体のカーリング部２に沿う形状・大きさであって、その端縁５は前記容器本体のカーリング部２の下死点６の近傍まで巻き込まれている。
前記カーリング部４の端縁５には下向きのスカート部１１が連設されている。このスカート部１１は容器本体の周壁側へ緩やかな凸弧を描く弧面部１１ａとその下縁に連設された裾部１１ｂとを有しており、前記弧面部１１ａの下縁は前記容器本体１のカーリング部２の最大径と同等の径としてある。
前記蓋体３のカーリング部４の外側面の上部（容器本体のカーリング部２の最大突出点７よりも上方）にはミシン目８が環状に形成してある。またスカート部１１の弧面部１１ａにはその上下に亘り面状の切り込み部９が複数等間隔に形成してあり、切り込み部９の間にはスカート部１１の弧面部１１ａの上部から裾部１１ｂの下部に至る縦の切り込み線１２が形成してある。
図中符号１３は開蓋用の摘みである。
【００１７】
この実施例の蓋体３の閉蓋作業も、通常の蓋体と同様に、容器本体の開口部に上から被せ、押し下げるのみである。
容器本体の開口部にあてがい蓋体を押し下げると、蓋体は合成樹脂製であるから弾性変形により、切り込み部９、縦の切り込み線１２の作用によりスカート部１１及びカーリング４の下部が拡開する。このスカート部１１は弧面部１１ａを有しているので、下向き傾斜となっている容器本体のカーリング部２の上面外側に沿って無理なく滑り落ちる。
その結果、スカート部１１及びカーリング部４は容器本体のカーリング部２を通過し、カーリング部２の下面に係止し、以後蓋体３を取り外すことはできない。
【００１８】
開蓋するときには、摘み１３を引き上げて縦切り込み線１２をガイドとしてミシン目８に沿ってカーリング部４を切断し、カーリング部４の下部を切除する。カーリング部４の下部を切除することにより、カーリング部４と容器本体のカーリング部２との係止が解除されるので、蓋体を取り外し、開蓋することができる。
【００１９】
この実施例においては、切り込み部９及び縦の切断線１２の下端がスカート部１１の下端に至っていない。そのために、スカート部の保形成が高い。したがって、カーリング部４の下端が容器本体のカーリング部２の下死点を越えなくとも、蓋体をこじ開けにくくなり、確実な封緘機能を得ることができる。
【００２０】
なお、切り込み部９の態様としては、上端をミシン目８に至らせて下端はスカート部の下縁にいたらせないもの、上端をミシン目８に至らせ下端もスカート部の下縁に至らせるもの、上端はミシン目に至らせず下端をスカート部の下縁に至らせるものなど、適宜採用することができる。
また、切り込み部９によって十分な変形量が得られる場合は縦の切断線１２は不要であるが、摘み１３の両側にミシン目８に至る切断線を設けると、ミシン目の破断が容易となる。このための切断線は、切断が容易な薄肉部として構成することもできる。
【実施例３】
【００２１】
図６は、容器本体１の口部外側に凸部として、落とし込み加工による傾斜壁２１を形成し、蓋体３の周縁外側に、前記傾斜壁２１と同等に傾斜し、下端部に内向きの係止部２２を有する係止壁２３を設けたものである。そして、前記係止壁２３には前記実施例１と同様にミシン目８及び切り込み部９が形成してある。
【００２２】
この実施例においても、閉蓋時には蓋体３の係止壁２３が拡開して容器本体の傾斜壁２１を乗り越え、係止壁２３の係止部２２が係止壁２１の下端に係止する。この状態から蓋を外すことはできない。
開蓋時にはミシン目８に沿って係止壁２３を切除することにより、係止壁と傾斜壁との係止が解除されるので、蓋を開けることができる。
【産業上の利用可能性】
【００２３】
この発明の蓋体は、容器のカーリング部その他の凸部に係止する部分を弾性変形可能とし、かつ閉蓋時のみ容器の凸部を通過でき、開蓋時には切断部を切断しなければ開蓋できないものとしたので、特別の設備を要することなく、通常の蓋と同じ要領で、改竄防止効果のある封緘を得ることができる。
また、開蓋時は単に切断部を切断するのみでよいので、格別の器具も必要なく開蓋することができる。
したがって、極めて使いが手のよい封緘装置であり、産業上の利用可能性を有するものである。
【図面の簡単な説明】
【００２４】
【図１】この発明実施例１の要部断面図
【図２】同じく一部側面図
【図３】この発明実施例２の要部断面図
【図４】同じく一部側面図
【図５】同じくスカート部を切除した状態の要部断面図
【図６】この発明実施例３の要部断面図
【符号の説明】
【００２５】
１    容器本体
２    容器本体のカーリング部
３    蓋体
４    蓋体のカーリング部
５    カーリング部の端縁
６    容器本体のカーリング部の下死点
７    容器本体のカーリング部の最大突出点
８    ミシン目
９    切り込み部
１１  スカート部
１２  縦切り込み線
１３  摘み
２１  傾斜壁
２２  係止部
２３  係止壁
【図１】
2006089126.tif 000003
【図２】
2006089126.tif 000004
【図３】
2006089126.tif 000005
【図４】
2006089126.tif 000006
【図５】
2006089126.tif 000007
【図６】
2006089126.tif 000008